(57)【要約】【課題】軸筒の表面に油分が付着しても、軸筒を把持した際に指が滑ること、且つ油分により軸筒表面が汚れることを軽減可能な筆記具を提供すること。【解決手段】軸筒４の内部に筆記体５を備えた筆記具１において、少なくとも軸筒４の把持部（前軸２）が、生成時に可塑剤を添加したポリウレタンで形成され、把持部（前軸２）に、把持部（前軸２）の表面から内部に連通する多孔質状の油分吸着部２ｄを設ける。【選択図】図２
2018069607.tif 000002
【特許請求の範囲】
【請求項１】
軸筒の内部に筆記体を備えた筆記具であり、少なくとも前記軸筒の把持部が、生成時に可塑剤を添加したポリウレタンで形成され、前記把持部に、当該把持部の表面から内部に連通する多孔質状の油分吸着部を設けたことを特徴とする筆記具。
【請求項２】
前記把持部が、前記軸筒の軸筒本体に対して着脱自在に形成されたことを特徴とする請求項１に記載の筆記具。
【請求項３】
前記把持部と前記筆記体との間に油分の通過を阻止する油分遮断部を設けたことを特徴とする請求項１または２に記載の筆記具。
【発明の詳細な説明】
【技術分野】
【０００１】
本発明は、軸筒に把持部を備えた筆記具に関するものである。
【背景技術】
【０００２】
従来より、表面に様々な形状の溝部を形成した把持部を軸筒の外面に一体ないし別体で設けた筆記具（例えば、特開２００６−３０５７８７号公報（特許文献１））が知られている。前記把持部は、筆記具の使用者が当該筆記具を把持する際に、表面に形成した複数の突部（溝部）により、当該使用者の指と筆記具との間に摩擦力を発生させることで、使用者の指が軸筒に対して滑ることを防止する。このため、使用者の書き心地や握り心地を向上する効果を奏する。
【０００３】
しかしながら、使用者が筆記具を使用する環境は一定ではなく、暑い場所で使用する場合もあれば寒い場所の場合もあり、事務所などのきれいな場所で使用される場合もあれば工場などの油仕事をする場所で使用される場合もある。このため、筆記具には、使用者が発汗することによる手脂や、機械加工を行なった際の機械油や切削油などの油成分が付着するケースがあるが、この場合、把持部表面の複数の突部や突部間の溝部に付着した油成分により把持部の摩擦効果を低減させたり、油成分や微細な異物などの汚れが溝部に入り込むとことで、汚れが取れなくなり外観を損なう場合があった。
【０００４】
こうした問題を鑑みて、把持部に布状部材を配した筆記具（例えば、特開２００７−９０８２３号公報（特許文献２））が開示されているが、油成分を吸収した布状部材は強く握ると油成分が染み出てきて、把持する手などに付着する恐れがあった。
【先行技術文献】
【特許文献】
【０００５】
【特許文献１】特開２００６−３０５７８７号公報
【特許文献２】特開２００７−９０８２３号公報
【発明の概要】
【発明が解決しようとする課題】
【０００６】
本発明者は鋭意検討を重ねた結果、多孔質状の材料を筆記具の軸筒に用いて当該軸筒に付着した油成分を当該軸筒内に吸着させることで、前述の問題を解決するに到った。
【０００７】
本発明は、以上の知見に基づいている。本発明の目的は、軸筒の表面に油分が付着しても、軸筒を把持した際に指が滑ること、且つ油分により軸筒表面が汚れることを軽減可能な筆記具を提供することである。
【課題を解決するための手段】
【０００８】
本発明は、
「１．軸筒の内部に筆記体を備えた筆記具であり、少なくとも前記軸筒の把持部が、生成時に可塑剤を添加したポリウレタンで形成され、前記把持部に、当該把持部の表面から内部に連通する多孔質状の油分吸着部を設けたことを特徴とする筆記具。
２．前記把持部が、前記軸筒の軸筒本体に対して着脱自在に形成されたことを特徴とする前記１項に記載の筆記具。
３．前記把持部と前記筆記体との間に油分の通過を阻止する油分遮断部を設けたことを特徴とする前記１項または２項に記載の筆記具。」である。  
【０００９】
本発明の筆記具は、把持部を有する軸筒の内部に筆記体を備えており、把持部を構成する素材であるポリウレタンを生成する際に可塑剤を添加し、把持部の表面から内部に連通する微細な多孔質状（スポンジ状）の油分吸着部を形成することで、把持部表面は微細な凹凸で覆われ、使用者が把持部を把持した際に、指にぴったりと張り付くような触感が得られ、且つ、把持部表面に複数の溝部を設けなくても前記微細な凹凸により、指が滑るのを防止する効果を奏する。
また、把持部に溝部を設ける必要がない為、油分や微細な異物などの汚れが前記溝部に入り込むことがなく、把持部表面を布や紙で拭くことで汚れを容易に除去することができる。
【００１０】
更に、前記把持部には当該把持部の表面から内部まで微細な多孔質状（スポンジ状）の油分吸着部が形成されているため、把持部表面に付着した油分は毛細管現象により把持部内部の油分吸着部に吸収され、ポリウレタン組成物と油分とが化学結合することで当該油分を把持部内部に吸着させる効果を奏する。このため、通常の使用では把持部内部に吸着された油分が把持部表面に染み出してくることを防止し、把持部内部の油分吸着量が飽和状態に達するまでは、把持部表面に付着した油分の影響を減らすことが可能である。
【００１１】
また、油分吸着部へ吸着された油分により把持部内部が飽和状態になったとしても、把持部を恒温器に入れたり、ぬるま湯に浸すなどにより一定の熱（６０度程度）を付加することで、把持部内部の油分が当該把持部の表面から滲み出すため、油分吸着部から油分を除去することができる。これは、ポリウレタン組成物と油分との化学結合が解かれることで当該油分が把持部内部から外部に出てくることにより、飽和状態を回復することが可能であるためと推察する。
このため、軸筒内の筆記体（例えば、ボールペンにおけるレフィルやシャープペンシルにおける芯繰出機構など）に熱や水分による影響を与えることなく、把持部の油分吸着部に吸着した油分を外部に排出することができるよう、軸筒の把持部が軸筒本体より取り外し可能に形成することが好ましい。また、軸筒の把持部を軸筒本体より取り外し可能にすることで、油分により把持部の油分吸着部が飽和状態になったとしても、当該把持部のみを新規のものと交換すれば筆記具全体を破棄する必要が無く継続的に使用することができる。
【００１２】
尚、本発明に用いられるポリウレタンは、油分の吸着性（吸油性）を有していればその組成物は任意に選定することができるが、成形などによって表面から内部に連通する多孔質状（スポンジ状）の隙間を形成する材料、例えば、スポーツ競技のボウリング用ボールの外皮に用いられる油分の吸着性（吸油性）が高い素材が好適に使用できる。また、筆記時に把持部を把持した際、把持部が圧縮されることで油分が外部に漏れ出てこないようにするため、硬度は、高いものが好ましい。
ここで、物質の硬度は種々の基準で表すことができるが、本発明においては、ＪＩＳ−Ｋ６２５３に準拠したデュロメーター硬度によりポリウレタンの硬度を表す。デュロメーター硬度とは、押針を試料の加圧面に押し付け、そのときの試料の変形量による決まる硬度である。本発明においてデュロメーター硬度（デュロメーターＤ硬度）は、５０以上であることが好ましく、７０以上あることがより好ましい。
【００１３】
前記ポリウレタンは、例えば、ポリイソシアネート成分とポリオール成分と可塑剤とからなり、これらの組成物を混合して反応硬化させ、生成することができる。
尚、前記ポリイソシアネート成分とは、分子中に２以上のイソシアネート基（ＮＣＯ基とも言う。）を有する化合物をいう。
また、前記ポリオール成分としては、例えば、ポリエステルポリオール、ポリエーテルポリオール、ポリカーボネートポリオール、低分子量グリコールなどが挙げられる。
更に、可塑剤としては、２，２，４−トリメチル−１，３−ペンタンジオールジイソブチラートが好適に使用できる。
【００１４】
尚、本発明における軸筒の把持部は、筆記する際の把持する部位となり、軸筒の軸筒本体から着脱自在に分離できれば、軸筒本体全体を覆うように形成してもよく、把持部と軸筒本体とが前後に分離する様に形成してもよく、公知のグリップの様に軸筒本体の一部のみを覆うように形成してもよい。
【００１５】
更に、把持部の油分吸着部が油分により飽和状態になったとしても、軸筒の把持部の内面から油分が漏れ出て、筆記体へ付着することを防止できるよう、軸筒の把持部と筆記体との間に油分の通過を阻止する油分遮断部を設けることが好ましい。
【００１６】
また、前記油分遮断部は油分を通さなければその材質は特に限定されないが、金属、硬質樹脂、セラミックなどを用いることができる。尚、油分遮断部には、軸筒の内方に装着されることから薄肉でも油分の遮断性が高く、軽量で硬度がある黄銅やアルミなどの金属を好適に用いることができる。
更に、油分遮断部を軸筒の把持部内面に密着するように形成することで、把持部を把持した際の当該把持部の変形を緩和することができ、把持部の油分吸着部に吸着されていた油成分が当該把持部の変形により外部へ漏れ出すことを防止できるため好適である。尚、油分遮断部は軸筒に対して別体で設けてもよく、一体に形成してもよい。
【発明の効果】
【００１７】
本発明により、吸油性を有するポリウレタンを軸筒の把持部に用いることで、油分が把持部に付着しても把持した際の油分の影響を軽減する筆記具を得ることができた。
【図面の簡単な説明】
【００１８】
【図１】第一の形態の筆記具の側面図である。
【図２】図１の筆記具の縦断面図である。
【図３】前軸（把持部）と後軸（軸筒本体）の分離状態を示す説明図である。
【発明を実施するための形態】
【００１９】
次に図面を参照しながら、本発明の筆記具の実施形態を説明するが、本発明は以下の実施形態に限定されるものではない。尚、筆記体の筆記部がある側を前方と表現し、その反対を後方と表現する。また、軸筒本体の軸心に近い側を内方と表現しその反対側を外方と表現する。
【００２０】
図１〜図３に示すように、本実施の第一の形態（実施例１）の筆記具１は、把持部となる前軸２と、後軸３（軸筒本体）とから軸筒４を構成してある。また、前軸２（把持部）の連結部２ａには雄ねじ部２ｂを設け、後軸３（軸筒本体）の前端部の内面に設けた雌ねじ部３ａに螺着してある。さらに、筆記具１は、軸筒４内に出没可能に収容された筆記体５を備えており、後軸３（軸筒本体）の後部には、クリップ６を装着してある。尚、図示された例において、筆記具１はボールペンである。
【００２１】
前軸２（把持部）は、前端に筆記体５（ボールペンレフィル）の筆記部７（ボールペンチップ）が突出可能な開口部２ｃが形成されている。また、筆記体５は、前軸２内に配設したコイルスプリング８によって、軸筒４の軸方向後方（図２における右方）に付勢された状態で配設してある。
【００２２】
筆記体５を出没させるための出没機構は、後軸３（軸筒本体）に筆記体５の筆記部７の出没切替のための回転カム９と当該回転カム９に係合するカム溝（図示せず）を有するカム機構が設けられている。筆記体５の筆記部７が前軸２（把持部）内に没入した状態でノック部材１０が押圧操作（ノック操作）されると、回転カム９がカム溝に沿って摺動し、筆記体５の筆記部７が前軸２（把持部）の開口部２ｃから前方へ突出され、更に、カム機構の作用によって回転カム９が回転されることによって、筆記体５の軸方向後方への相対移動が禁止され、押圧操作の終了後もこの突出状態が維持されるようになっている。また、この突出状態で再度ノック部材１０が押圧操作（ノック操作）されると、カム機構の作用によって筆記体５の軸方向後方への相対移動が許容され、コイルスプリング８の付勢力によって筆記体５及びノック部材１０が軸方向後方に押し戻されて初期状態に復帰されるようになっている。
【００２３】
筆記体５について詳述すると、インキ収容筒１１の前端部に、φ０．５ｍｍのボールを回転自在に抱持したボールペンチップからなる筆記部７を装着してある。また、インキ収容筒１１内には、図示はしていないが、ティー・エイ・インスツルメント株式会社製ＡＲ−Ｇ２（ステンレス製４０ｍｍ２）を用いた２０℃の環境下で、剪断速度５ｓｅｃ−１にて測定したインキ粘度が１５０００ｍＰａ・ｓである黒色の油性ボールペン用インキを直に収容してある。
【００２４】
また、図３に示すように、前軸２（把持部）と後軸３（軸筒本体）は、前軸２の後部の外面に設けた雄ねじ部２ｂと、後軸３（軸筒本体）の前部の内面に設けた雌ねじ部３ａとが着脱自在に螺着されており、前軸２（把持部）を後軸３（軸筒本体）から分離することができる。
【００２５】
前軸２（把持部）はポリウレタンで形成されており、組成時に可塑剤である２，２，４−トリメチル−１，３−ペンタンジオールジイソブチレートを添加して混合し、硬化することにより、前軸２（把持部）表面から内部に連続する多孔質状の油分吸着部２ｄを形成してある。
また、前軸２（把持部）表面は油分吸着部２ｄにより微細な凹凸が形成されるため、表面の摩擦力が向上し、表面に複数の溝部で形成した滑り止めを設けなくても指が滑ることが無く、指が前軸２（把持部）表面にぴったりと張り付くような触感が得られた。
【００２６】
具体的には、前軸２（把持部）の厚さは１．０ｍｍ、ＪＩＳ−Ｋ６２５３に準拠したデュロメータのタイプＤで測定した硬度が平均７６．９であった。
【００２７】
また、前軸２（把持部）の内方には、鍔部１２ａを有する円筒状の油分遮断筒１２（油分遮断部）を設けてあり、鍔部１２ａを前軸２（把持部）の後端２ｅと後軸３（軸筒本体）の内段部３ｂとで狭持することで軸筒４内に固定してある。（図２参照）
尚、油分遮断筒１２は黄銅で形成してある。このため、薄肉でも油分の通過を阻止することができ、さらに、前軸２（把持部）の内面に密接するように配置することで、前軸２（把持部）を把持した際の変形を防止するよう構成してある。
【００２８】
ここで、本実施例の筆記具１の前軸２（把持部）表面にスポイトで鉱物油を垂らしてみたところ、表面に付着した鉱物油は前軸２（把持部）内に吸収され、そのまま前軸２（把持部）を指で把持しても滑りにくくしっかり把持することができた。また、前軸２（把持部）表面に付着した油分や微細な異物などの汚れは表面に溝がないことから紙や布等で容易に除去することができた。
更に、前軸２（把持部）の表面に鉱物油を垂らし続け、前軸２（把持部）の油分吸着部２ｄが飽和状態に達しても、油分遮断筒１２により油分が軸筒４内部に漏れ出すことが無く、軸筒４内部の筆記体５（ボールペンレフィル）に油分が付着することはなかった。
【００２９】
また、図３に示すように、本発明では、前軸２（把持部）を後軸３（軸筒本体）から分離可能に構成しているため、前軸２（把持部）の油分吸着部２ｄが飽和状態に達しても、前軸２（把持部）を後軸３（軸筒本体）から取り外した状態で前軸２（把持部）に熱（６０度程度）を掛けて油分を外部に排出するか、前軸２（把持部）のみを新規のものと交換することにより、筆記体５や後軸３内部の出没機構に影響（例えば熱）を与えることなく、前軸２（把持部）の油分の吸着力を回復することができるものとなった。
【産業上の利用可能性】
【００３０】
本発明の筆記具は、ボールペンに限定されることなく、筆記具として広く実施可能である。
【符号の説明】
【００３１】
１…筆記具、
２…前軸（把持部）、２ａ…連結部、２ｂ…雄ねじ部、２ｃ…開口部、２ｄ…油分吸着部、２ｅ…後端、
３…後軸（軸筒本体）、３ａ…雌ねじ部、３ｂ…内段部、
４…軸筒、
５…筆記体、
６…クリップ、
７…筆記部、
８…コイルスプリング、
９…回転カム、
１０…ノック部、
１１…インキ収容筒
１２…油分遮断筒（油分遮断部）、１２ａ…鍔部。
【図１】
2018069607.tif 000003
【図２】
2018069607.tif 000004
【図３】
2018069607.tif 000005